(57)【要約】      （修正有）【課題】クーラーボックス、特に車両等の構造物内に配置するクーラーボックスに関し、優れた使い勝手と保冷性を両立可能なクーラーボックスを提供する。【解決手段】本発明によれば、一端が開いた外容器２０及び内容器１０を有するクーラーボックス１であって、前記内容器は、前記外容器に収容可能に構成され、前記外容器及び前記内容器はそれぞれ、底部を備え、前記外容器の底部及び前記内容器の底部にはそれぞれ、外部に開口する開口部が設けられ、前記クーラーボックスは、前記内容器の底部の外表面が前記外容器の底部に対向する第１形態と、前記内容器の底部の内表面が前記外容器の底部に対向する第２形態が切替可能に構成され、前記第１形態において、前記外容器の開口部と前記内容器の開口部が、連通可能に構成される、クーラーボックスである。【選択図】図２
2019059506.tif 000002
【特許請求の範囲】
【請求項１】
一端が開いた外容器及び内容器を有するクーラーボックスであって、
前記内容器は、前記外容器に収容可能に構成され、
前記外容器及び前記内容器はそれぞれ、底部を備え、
前記外容器の底部及び前記内容器の底部にはそれぞれ、外部に開口する開口部が設けられ、
前記クーラーボックスは、前記内容器の底部の外表面が前記外容器の底部に対向する第１形態と、前記内容器の底部の内表面が前記外容器の底部に対向する第２形態が切替可能に構成され、
前記第１形態において、前記外容器の開口部と前記内容器の開口部が、連通可能に構成される、クーラーボックス。
【請求項２】
前記外容器は凹部を備え、
前記凹部は、前記外容器の外周部に設けられ、且つ前記外容器の内側に露出するように構成され、
前記第１形態及び前記第２形態において、前記内容器の外周部が前記凹部内に配置されるように構成される、請求項１に記載のクーラーボックス。
【請求項３】
前記内容器はフランジ部を備え、
前記フランジ部は、前記内容器の外周部に設けられ、
前記第１形態及び前記第２形態において、前記フランジ部が前記凹部内に配置されるように構成される、請求項２に記載のクーラーボックス。
【請求項４】
前記凹部と前記フランジ部は互いに当接し、
前記第２形態において、前記外容器と前記内容器により形成される収容空間が密閉されるように構成される、請求項３に記載のクーラーボックス。
【請求項５】
前記凹部の上端と、前記フランジ部の上端は、側面視において略同じ高さとなるように構成される、請求項３又は請求項４に記載のクーラーボックス。
【請求項６】
開口領域を備える開口部材を有し、
前記開口部材は、前記外容器の開口部及び前記内容器の開口部に設けられ、
前記開口部材は、前記開口領域を開閉可能に構成される、請求項１〜請求項５の何れか１つに記載のクーラーボックス。
【請求項７】
前記開口部材は蓋を備え、
前記蓋は、前記開口領域を覆う位置と、前記開口領域を覆わない位置を移動可能に構成される、請求項６に記載のクーラーボックス。
【請求項８】
前記内容器の底部に凹部が形成される、請求項１〜請求項７の何れか１つに記載のクーラーボックス。
【請求項９】
前記外容器及び前記内容器はそれぞれ、中空の成形体である、請求項１〜請求項８の何れか１つに記載のクーラーボックス。
【請求項１０】
前記中空の成形体の内部に断熱層が設けられる、請求項９に記載のクーラーボックス。
【請求項１１】
請求項１〜請求項１０の何れか１つに記載のクーラーボックスと、
冷却装置の吹出口と、を備え、
前記吹出口は、前記外容器の開口部に連通するように構成される、車両。
【発明の詳細な説明】
【技術分野】
【０００１】
本発明は、クーラーボックス及び車両に関する。
【背景技術】
【０００２】
例えば自動車の車両等の構造物内に配置するクーラーボックスが知られている。特許文献１には、車両用空調装置を駆動してクーラーボックス内を冷却する技術が開示されている。
【先行技術文献】
【特許文献】
【０００３】
【特許文献１】特開２０１６−１７５４５１号公報
【発明の概要】
【発明が解決しようとする課題】
【０００４】
引用文献１では、クーラーボックスを保冷する際に、車両用空調装置の制御が必要である。本発明は、このような事情に鑑みてなされたものであり、クーラーボックス、特に車両等の構造物内に配置するクーラーボックスに関し、優れた使い勝手と保冷性を両立可能なクーラーボックスを提供するものである。
【課題を解決するための手段】
【０００５】
本発明によれば、一端が開いた外容器及び内容器を有するクーラーボックスであって、前記内容器は、前記外容器に収容可能に構成され、前記外容器及び前記内容器はそれぞれ、底部を備え、前記外容器の底部及び前記内容器の底部にはそれぞれ、外部に開口する開口部が設けられ、前記クーラーボックスは、前記内容器の底部の外表面が前記外容器の底部に対向する第１形態と、前記内容器の底部の内表面が前記外容器の底部に対向する第２形態が切替可能に構成され、前記第１形態において、前記外容器の開口部と前記内容器の開口部が、連通可能に構成される、クーラーボックスが提供される。
【０００６】
本発明のクーラーボックスは、一端が開いた外容器及び内容器を有し、二重構造のクーラーボックスとして使用可能な第１形態と、内容器を蓋として利用可能な第２形態を切替可能に構成される。また、外容器と内容器の底部にはそれぞれ開口部が設けられる。そして、かかる開口部が連通可能に構成される。
【０００７】
かかる構成により、使用状況により、ユーザーは第１形態と第２形態を使い分けることができ、使い勝手が向上する。また、例えば車両に搭載されたクーラー等の冷却装置の吹出口を外容器の開口部に連通させることにより、第１形態においてクーラーボックスの内部の保冷性が向上する。
【０００８】
以下、本発明の種々の実施形態を例示する。以下に示す実施形態は互いに組み合わせ可能である。
好ましくは、前記外容器は凹部を備え、前記凹部は、前記外容器の外周部に設けられ、且つ前記外容器の内側に露出するように構成され、前記第１形態及び前記第２形態において、前記内容器の外周部が前記凹部内に配置されるように構成される。
好ましくは、前記内容器はフランジ部を備え、前記フランジ部は、前記内容器の外周部に設けられ、前記第１形態及び前記第２形態において、前記フランジ部が前記凹部内に配置されるように構成される。
好ましくは、前記凹部と前記フランジ部は互いに当接し、前記第２形態において、前記外容器と前記内容器により形成される収容空間が密閉されるように構成される。
好ましくは、前記凹部の上端と、前記フランジ部の上端は、側面視において略同じ高さとなるように構成される。
好ましくは、開口領域を備える開口部材を有し、前記開口部材は、前記外容器の開口部及び前記内容器の開口部に設けられ、前記開口部材は、前記開口領域を開閉可能に構成される。
好ましくは、前記開口部材は蓋を備え、前記蓋は、前記開口領域を覆う位置と、前記開口領域を覆わない位置を移動可能に構成される。
好ましくは、前記内容器の底部に凹部が形成される。
好ましくは、前記外容器及び前記内容器はそれぞれ、中空の成形体である。
好ましくは、前記中空の成形体の内部に断熱層が設けられる。
他の観点によれば、上記何れか１つに記載のクーラーボックスと、冷却装置の吹出口と、を備え、
前記吹出口は、前記外容器の開口部に連通するように構成される、車両が提供される。
【図面の簡単な説明】
【０００９】
【図１】本発明の一実施形態のクーラーボックス１の第１形態を表す斜視図である。
【図２】本発明の一実施形態のクーラーボックス１の分解斜視図である。
【図３】クーラーボックス１を構成する内容器１０の上面斜視図である。
【図４】クーラーボックス１を構成する内容器１０の下面斜視図である。
【図５】クーラーボックス１を構成する外容器２０の上面斜視図である。
【図６】クーラーボックス１を構成する外容器２０の下面斜視図である。
【図７】図７Ａは、クーラーボックス１を構成する開口部材３０の上面斜視図であり、開口領域３１が開いている状態を表す図である。図７Ｂは、開口部材３０の下面斜視図であり、開口領域３１が開いている状態を表す図である。
【図８】図８Ａは、開口部材３０の上面斜視図であり、開口領域３１が閉じている状態を表す図である。図８Ｂは、開口部材３０の下面斜視図であり、開口領域３１が閉じている状態を表す図である。
【図９】内容器１０及び外容器２０のそれぞれに、開口部材３０を装着した状態を表す斜視図である。
【図１０】図１における３つの点Ａを通る平面の断面斜視図であり、方向Ｘから見た図である。
【図１１】図１０に対応する正面図である。
【図１２】本発明の一実施形態のクーラーボックス１の第２形態を表す分解斜視図である。図１２においては、内容器１０及び外容器２０の内部にカゴ４０を収容する態様を表す。
【図１３】本発明の一実施形態のクーラーボックス１の第２形態を表す斜視図である。
【図１４】図１３における３つの点Ｂを通る平面の断面斜視図であり、方向Ｘから見た図である。
【図１５】図１４に対応する正面図である。
【図１６】変形例に係るクーラーボックス１の第１形態を表す端面図である。
【図１７】変形例に係るクーラーボックス１の第２形態を表す端面図である。
【発明を実施するための形態】
【００１０】
以下、本発明の実施形態について説明する。以下に示す実施形態中で示した各種特徴事項は、互いに組み合わせ可能である。また、各特徴事項について独立して発明が成立する。
【００１１】
１．クーラーボックス１の第１形態
図１〜図１１を用いて、本発明のクーラーボックス１について説明する。本発明のクーラーボックス１は種々のシーンで利用可能であり、特に車両に搭載する場合に好適である。本発明のクーラーボックス１は、図１に示す第１形態と、図１３に示す第２形態が切替可能である点を特徴としている。
【００１２】
図１は、クーラーボックス１の第１形態を表す斜視図である。図１に示すように、クーラーボックス１は、一端が開いた外容器２０及び内容器１０を有する。内容器１０は、外容器２０に収容可能に構成される。また、図３及び図５に示すように、内容器１０及び外容器２０はそれぞれ、底部１１及び底部２１を備える。
【００１３】
ここで、図２〜図１１を用いて、クーラーボックス１の各構成部材について詳細に説明する。図２に示すように、クーラーボックス１は、内容器１０、外容器２０、開口部材３０を備える。本実施形態では、開口部材３０は蓋３２を備える。また、本実施形態では、内容器１０及び外容器２０はそれぞれ、中空の成形体であり、例えばウレタン等の樹脂により成形される。
【００１４】
図３及び図４に示すように、内容器１０は、底部１１及びこれに繋がる立面１４を備える。成形体の内側部分により、底部１１の内表面１２が形成される。また、成形体の外側部分により、底部１１の外表面１３が形成される。本実施形態では、内表面１２と外表面１３により、底部１１が構成される。また、内容器１０の底部１１には、外部に開口する開口部１９が設けられる。本実施形態では、開口部１９の形状は、角の丸まった四角形である。さらに、底部１１の内表面１２には、凸部１２ｃ及び凹部１２ｒが設けられる。また、底部１１の外表面１３には凹部１３ｒが設けられる。本実施形態では、凹部１３ｒは凸部１２ｃに対応する形状である。凹部１３ｒは、第１形態において、外容器２０の凸部２２ｃ（図５及び図６を用いて後述）と嵌合するものである。凹部１２ｒは、ユーザーが内容器１０を掴みやすくするためのものである。ここで、凸部１２ｃ、凹部１２ｒ及び凹部１３ｒは必須ではなく、また、設ける場合でも、その形状及び大きさは限定されない。
【００１５】
立面１４は、成形体の内側部分により、立面１４の内表面１５が形成される。また、成形体の外側部分により、立面１４の外表面１６が形成される。つまり、本実施形態では、内表面１５及び外表面１６により、立面１４が構成される。
【００１６】
さらに、内容器１０は、外周部１７を備える。外周部１７は、立面１４の上端に、内容器１０を１周するように設けられる。そして、外周部１７にフランジ部１８が設けられる。フランジ部１８は、立面１４から離れる方向に突出する。
【００１７】
図５及び図６に示すように、外容器２０は、底部２１及びこれに繋がる立面２４を備える。成形体の内側部分により、底部２１の内表面２２が形成される。また、成形体の外側部分により、底部２１の外表面２３が形成される。本実施形態では、内表面２２と外表面２３により、底部２１が構成される。また、外容器２０の底部２１は、外部に開口する開口部２９が設けられる。本実施形態では、開口部２９の形状は、内容器１０の開口部１９に対応する形状である。また、図１０及び図１１に示すように、第１形態において、外容器２０の開口部２９と内容器１０の開口部１９が、連通可能に構成される。本実施形態では、外容器２０の開口部２９と内容器１０の開口部１９が、平面視において重なるように構成される。ここで、開口部２９と開口部１９の位置関係はこれに限定されず、開口部２９と開口部１９が重なっていなくても、外容器２０と内容器１０の間に隙間が空いており、開口部２９から開口部１９を通って気体が通過できる態様であればよい。
【００１８】
底部２１の内表面２２には、凸部２２ｃ及び凹部２２ｒが設けられる。凸部２２ｃは、内容器１０の凹部１３ｒと嵌合するように構成される。
【００１９】
さらに、外容器２０は、外周部２７を備える。外周部２７は、立面２４の上端に、外容器２０を１周するように設けられる。そして、外周部２７に沿って凹部２８が設けられる。図５及び図１１に示すように、凹部２８は、外容器２０の内側に露出するように構成される。凹部２８の形状は特に限定されないが、図１１に示すように、内容器１０のフランジ部１８を配置できるように、フランジ部１８に対応した形状であることが好ましい。さらに、本実施形態では、外周部２７にベルト取付部２７ｂが設けられる。ベルト取付部２７ｂは、外周部２７の一部を切り欠いたものであり、例えばクーラーボックス１を車両に搭載する場合に、シートベルト等のベルトを引っ掛けるものである。ベルトをベルト取付部２７ｂに引っ掛けることで、クーラーボックス１を安定して配置する事が可能になる。
【００２０】
図７及び図８に示すように、開口部材３０は、開口領域３１を備える。本実施形態では、開口領域３１はグリッド形状である。そして、開口部材３０は、開口領域３１を開閉可能に構成される。また、開口部材３０は蓋３２を備える。本実施形態では、蓋３２に２つのつまみ３３が設けられる。蓋３２は、開口領域３１を覆う位置（図７）と、開口領域３１を覆わない位置（図８）を移動可能に構成される。これにより、開口領域３１を開閉することができる。具体的には、蓋３２は、開口部材３０の短手方向にスライド可能に構成される。好ましくは、図７及び図８の状態からつまみ３３を９０°回転させることにより、蓋３２のロックが解除され、蓋３２を開口部材３０の短手方向にスライドさせる。そして、図７（図８）の状態から図８（図７）の状態になるまで蓋３２をスライドさせてからつまみ３３を元に戻すことにより、蓋３２がロックされる。なお、蓋３２を含む開口部材３０は、例えば射出成形により成形される金属製の部材とすることができる。
【００２１】
図９に示すように、内容器１０の開口部１９と、外容器２０の開口部２９にそれぞれ開口部材３０を設けることにより、本実施形態のクーラーボックス１が完成する。この状態の内容器１０を外容器２０に収容することにより、図１に示される第１形態となる。
【００２２】
次に、図１０及び図１１を用いて、第１形態のクーラーボックス１について詳細に説明する。ここで、図１０は、図１における３つの点Ａを通る平面の断面斜視図であり、方向Ｘから見た図である。図１１は、図１１の正面図である。第１形態では、内容器１０の底部１１の外表面１３が外容器２０の底部２１に対向するように、内容器１０が外容器２０に収容される。また、内容器１０の外周部１７が外容器２０の凹部２８内に配置されるように構成される。本実施形態では、内容器１０のフランジ部１８が外容器２０の凹部２８内に配置されるように構成される。このとき、凹部２８とフランジ部１８は互いに当接する。つまり、第１形態では、クーラーボックス１は、内容器１０及び外容器２０の二重構造となる。
【００２３】
本実施形態では、図１１に示すように、内容器１０のフランジ部１８は、第１位置決め面１８ｆ及び第１位置決め面１８ｆに対向する第２位置決め面１８ｓを備える。そして、第１位置決め面１８ｆ及び第２位置決め面１８ｓは、立面１８ｒにより連結される。一方、外容器２０の凹部２８は、位置決め面２８ｐ及びこれに繋がる立面２８ｒを備える。第１形態において、クーラーボックス１は、フランジ部１８の第１位置決め面１８ｆと、凹部２８の位置決め面２８ｐが当接するように構成される。また、クーラーボックス１は、フランジ部１８の立面１８ｒと凹部２８の立面２８ｒが当接するように構成される。さらに、クーラーボックス１は、内容器１０の立面１４の外表面１６と、外容器２０の立面２４の内表面２５が当接するように構成される。そして、第１形態において、内容器１０の凹部１２ｒと外容器２０の凸部２２ｃが嵌合する。かかる構成により、内容器１０を外容器２０に収容したときの安定性が向上する。
【００２４】
さらに、本実施形態では、外容器２０の凹部２８の上端と、内容器１０のフランジ部１８の上端は、側面視において略同じ高さとなるように構成される。これにより、第１形態における美観が向上し、内容器１０を外容器２０に収容したときの安定性が向上する。
【００２５】
かかる構成のクーラーボックス１は、第１形態において、内容器１０により収容空間Ｓが形成される。そして、クーラーボックス１を車両のリアボードの下側の空間に配置するときには、開口部材３０の開口領域３１が開いた状態で使用することが好ましい。また、クーラーボックス１の上部はリアボードで覆われ、収容空間Ｓが密閉されることが好ましい。かかる車両は、冷却装置（例：クーラーボックス）の吹出口５０（例：ダクト）を備え、吹出口５０が、外容器２０の開口部２９に連通するように構成される。かかる構成により、吹出口５０から排出された冷気が、外容器２０の開口部２９と内容器１０の開口部１９を通って内容器１０の収容空間Ｓに導入される。これにより、収容空間Ｓに収容した収容物を冷却することが可能になる。
【００２６】
なお、内容器１０及び外容器２０を中空の成形体とした場合、成形体の内部に断熱層を設けることにより、さらに保冷性が向上する。断熱層は、例えば発泡ウレタン等の発泡樹脂で構成することができる。
【００２７】
２．第２形態
次に、図１２〜図１５を用いて、クーラーボックス１の第２形態について説明する。図１３に示すように、第２形態では、第１形態における内容器１０の向きを天地反転させ、内容器１０を外容器２０の蓋として利用する。図１５に示すように、クーラーボックス１は、第２形態において、外容器２０の凹部２８と内容器１０のフランジ部１８は互いに当接し、外容器２０と内容器１０により形成される収容空間Ｓが密閉されるように構成される。これにより、例えば図１２に示すように、収容空間Ｓにカゴ４０を収容することができる。この場合、例えば冷たい飲料をカゴ４０に入れた状態でクーラーボックス１に収容できるので、ユーザーの利便性が向上する。
【００２８】
次に、図１４及び図１５を用いて、第２形態のクーラーボックス１について詳細に説明する。ここで、図１４は、図１３における３つの点Ｂを通る平面の断面斜視図であり、方向Ｘから見た図である。図１５は、図１４の正面図である。第２形態では、内容器１０の底部１１の内表面１２が外容器２０の底部２１に対向するように、内容器１０が外容器２０の上部に配置される。また、第１形態と同様に、内容器１０の外周部１７が外容器２０の凹部２８内に配置されるように構成される。本実施形態では、内容器１０のフランジ部１８が外容器２０の凹部２８内に配置されるように構成される。このとき、凹部２８とフランジ部１８は互いに当接する。
【００２９】
第２形態では、クーラーボックス１は、フランジ部１８の第２位置決め面１８ｓと、凹部２８の位置決め面２８ｐが当接するように構成される。また、クーラーボックス１は、フランジ部１８の立面１８ｒと凹部２８の立面２８ｒが当接するように構成される。
【００３０】
さらに、本実施形態では、フランジ部１８の立面１８ｒの高さと、凹部２８の立面２８ｒの高さを略同じにすることにより、第２形態においても、外容器２０の凹部２８の上端と、内容器１０のフランジ部１８の上端は、側面視において略同じ高さとなるように構成される。これにより、第２形態における美観が向上し、内容器１０を外容器２０の上部に配置したときの安定性が向上する。さらに、第１形態及び第２形態の両方において、凹部２８の上端とのフランジ部１８の上端を、側面視において略同じ高さとなるように構成することにより、第１形態及び第２形態のいずれにおいても優れた密封性を確保することができる。
【００３１】
第２形態では、クーラーボックス１を車両の吹出口５０と連通させず、車内に置いておくことも可能である。このとき、収容空間Ｓの密閉性を担保するため、開口部材３０の開口領域３１を蓋３２で閉じることが好ましい。なお、第２形態においても、第１形態と同様に、クーラーボックス１を車両のリアボードの下側の空間に配置してもよい。このとき、外容器２０に設けられた開口部材３０の開口領域３１から蓋３２を退避させ、吹出口５０から排出される冷気を収容空間Ｓ内に導入することにより、さらに保冷性を向上させることができる。
【００３２】
以上説明したように、本実施形態のクーラーボックス１は、一端が開いた外容器２０及び内容器１０を有し、内容器１０は、外容器２０に収容可能に構成される。また、外容器２０及び内容器１０はそれぞれ、底部１１及び底部２１を備える。外容器２０の底部２１及び内容器１０の底部１１にはそれぞれ、外部に開口する開口部２９及び開口部１９が設けられる。クーラーボックス１は、内容器１０の底部１１の外表面１３が外容器２０の底部２１に対向する第１形態と、内容器１０の底部１１の内表面１２が外容器２０の底部２１に対向する第２形態が切替可能に構成される。また、第１形態において、外容器２０の開口部２９と内容器１０の開口部１９が、連通可能に構成される。これにより、第１形態では車両の冷却装置を利用することにより収容物を保冷し、第２形態では密閉された収容空間Ｓにより収容物を保冷することができる。
【００３３】
３．変形例
図１６及び図１７を用いて、クーラーボックス１の変形例について説明する。本変形例では、内容器１０は、フランジ部１８に代えて、立面１４の外表面１６に軸１８ａｘを備える。また、外容器２０は、凹部２８に代えて、立面２４の内表面２５に軸受２８ａｘを備える。そして、クーラーボックス１は、内容器１０を撓ませながら、軸１８ａｘを軸受２８ａｘに挿入することにより、第１形態と第２形態を切替可能に構成される。
【００３４】
４．クーラーボックス１の製造方法
以下、クーラーボックス１の製造方法について説明する。クーラーボックス１は、例えば樹脂を用いたブロー成形により製造することができる。本実施形態のクーラーボックス１は、一対の金型の間に円筒状のパリソンを垂下させ、金型を閉めた後に内部にエアーを吹き込んで成形することにより、中空の成形体となる。内容器１０及び外容器２０の原料樹脂は特に限定されないが、例えばポリオレフィンなどの熱可塑性樹脂であり、ポリオレフィンとしては、低密度ポリエチレン、直鎖状低密度ポリエチレン、高密度ポリエチレン、ポリプロピレン、エチレン−プロピレン共重合体及びその混合物などが挙げられる。また、断熱層を設ける場合には、クーラーボックス１の一部に穴を開け、そこから発泡ウレタン等の発泡樹脂を充填する。
【００３５】
５．その他
本発明のクーラーボックス１は、以下の態様でも実施可能である。
・内容器１０又は外容器２０を、中空の成形体に代えて、中実体として構成する。
・開口部材３０を設けず、内容器１０と外容器２０に開口部を設ける。
・内容器１０と外容器２０の間に、他の容器を重ねる。
【符号の説明】
【００３６】
１：クーラーボックス
１０：内容器
１１：底部
１２：内表面
１２ｃ：凸部
１２ｒ：凹部
１３：外表面
１３ｒ：凹部
１４：立面
１５：内表面
１６：外表面
１７：外周部
１８：フランジ部
１８ｆ：第１位置決め面
１８ｓ：第２位置決め面
１８ｒ：立面
１９：開口部
１８ａｘ：軸
２０：外容器
２１：底部
２２：内表面
２２ｃ：凸部
２２ｒ：凹部
２３：外表面
２４：立面
２５：内表面
２６：外表面
２７：外周部
２７ｂ：ベルト取付部
２８：凹部
２８ｐ：位置決め面
２８ｒ：立面
２９：開口部
２８ａｘ：軸受
３０：開口部材
３１：開口領域
３２：蓋
３３：つまみ
４０：カゴ
５０：吹出口
【図１】
2019059506.tif 000003
【図２】
2019059506.tif 000004
【図３】
2019059506.tif 000005
【図４】
2019059506.tif 000006
【図５】
2019059506.tif 000007
【図６】
2019059506.tif 000008
【図７】
2019059506.tif 000009
【図８】
2019059506.tif 000010
【図９】
2019059506.tif 000011
【図１０】
2019059506.tif 000012
【図１１】
2019059506.tif 000013
【図１２】
2019059506.tif 000014
【図１３】
2019059506.tif 000015
【図１４】
2019059506.tif 000016
【図１５】
2019059506.tif 000017
【図１６】
2019059506.tif 000018
【図１７】
2019059506.tif 000019